(57)【要約】      （修正有）【課題】鉄道車両シートのシート部材において縫い目を有する革製の外観と風合いを再現する。【解決手段】鉄道車両シート１１にはヘッドレストカバー１４やアームレスト１６が装着される。これらヘッドレストカバー１４やアームレスト１６のシート部材や表皮材として樹脂部品が適用される。この結果、ヘッドレストカバー１４およびアームレスト１６には縫い目を有する革製の外観と風合いが再現されるため、鉄道車両シート１１の見栄えが向上し、感触質感等の向上を図ることができる。【選択図】図３
2014139062.tif 000002
【特許請求の範囲】
【請求項１】
表面に糸目を有する糸目部が連続的に備えられることで縫い目部位が形成され、縫い目部位に対して基材部位が成形されることで、基材部位に縫い目部位が存在する成形品部材が形成される
ことを特徴とする鉄道車両シートのシート部材。
【請求項２】
請求項１に記載の鉄道車両シートのシート部材において、
縫い目部位が第１樹脂により形成され、基材部位が第２樹脂により形成されている
ことを特徴とする鉄道車両シートのシート部材。
【請求項３】
請求項１もしくは請求項２に記載の鉄道車両シートのシート部材において、
前記シート部材は、シートバックの上部に備えられるヘッドレストのカバーである
ことを特徴とする鉄道車両シートのシート部材。
【請求項４】
表面に糸目を有する糸目部が連続的に備えられることで縫い目部位が形成され、縫い目部位に対して基材部位が成形されることで、基材部位に縫い目部位が存在する成形品部材が形成される
ことを特徴とする航空機シートのシート部材。
【発明の詳細な説明】
【技術分野】
【０００１】
本発明は、樹脂基材に対し異なる樹脂により縫い目の部位が形成された樹脂製品からなる鉄道車両シートのシート部材に関する。
【０００２】
本発明は、樹脂基材に対し異なる樹脂により縫い目の部位が形成された樹脂製品からなる航空機シートのシート部材に関する。
【背景技術】
【０００３】
鉄道車両シートや航空機シートには、シート部材として、シートクッション、シートバック、アームレスト、フットレスト、収容テーブル、ヘッドカバー等が備えられている。シート部材として、革製の部材を適用し、シートの見栄えの向上や感触、質感等の向上を図ることで、機能以外で付加価値が高められている（特許文献１参照）。
【０００４】
鉄道車両や航空機は不特定多数の人間が利用するものであるため、シート（シート部材）に埃等の汚れ、皮脂汚れ、化粧品の汚れ、飲食物の汚れ等、様々な汚れが付着することは避けられないため、汚れに対応できる革を選定する必要があった。また、シートの見栄えや風合いを維持するためには、シート部材の劣化に対する革の日常の手入れを怠らないようにする必要があった。
【０００５】
このため、シート部材に革材を適用する場合、種々の汚れに適した革材の検討を行うことが必要であると同時に、シート部材に革材を適用した場合、シート部材の手入れを欠かすことができない状況である。
【０００６】
従って、革製のシートの価値に対してコストや日常の手入れの手間が増大し、鉄道車両シートや航空機シートのシート部材として、革製品を多く用いたシートは普及が進んでいないのが現状である。
【先行技術文献】
【特許文献】
【０００７】
【特許文献１】特開２０１１−４７０８５号公報
【発明の概要】
【発明が解決しようとする課題】
【０００８】
本発明は上記状況に鑑みてなされたもので、樹脂基材と縫い目部位が独立して形成された樹脂部品を二色成形により成形し、縫い目を有する革を模擬した状態の鉄道車両シートのシート部材を提供することを目的とする。
【０００９】
また、本発明は上記状況に鑑みてなされたもので、樹脂基材と縫い目部位が独立して形成された樹脂部品を二色成形により成形し、縫い目を有する革を模擬した状態の航空機シートのシート部材を提供することを目的とする。
【課題を解決するための手段】
【００１０】
樹脂成形品を用いた場合、革の風合いまでも模擬できる金型を作製するには高度の技術が必要であるが、本件出願人の金型製造技術を駆使することで、革の風合いを模擬できる金型を作製することが可能になった。また、縫い目に関しては、本件出願人が数多く手がけている、基材と図形部や文字表示部とを種類の異なる樹脂で成形する、所謂、二色成形の技術を適用することで、実際の糸目を樹脂により再現することが可能になった。
【００１１】
上記目的を達成するための請求項１に係る本発明の鉄道車両シートのシート部材は、表面に糸目を有する糸目部が連続的に備えられることで縫い目部位が形成され、縫い目部位に対して基材部位が成形されることで、基材部位に縫い目部位が存在する成形品部材が形成され、成形品部材が鉄道車両シートのシート部材とされることを特徴とする。
【００１２】
請求項１に係る本発明では、縫い目部位に対して基材部位が成形されることで、縫い目部位と基材部位を独立した樹脂で成形することができ、縫い目を有する革を模擬した状態の鉄道車両シートのシート部材とすることができる。
【００１３】
そして、請求項２に係る本発明の鉄道車両シートのシート部材品は、請求項１に記載の鉄道車両のシート部材において、縫い目部位が第１樹脂により形成され、基材部位が第２樹脂により形成されていることを特徴とする。
【００１４】
請求項２に係る本発明では、縫い目部位と基材部位を異なる樹脂（材質や色等）で成形することができ、異色の糸目を備えたり、異色で風合いの異なる糸目を備えたり等のシート部を得ることができる。
【００１５】
また、請求項３に係る本発明の鉄道車両シートのシート部材は、請求項１もしくは請求項２に記載の鉄道車両シートのシート部材において、前記シート部材は、シートバックの上部に備えられるヘッドレストのカバーであることを特徴とする。
【００１６】
鉄道車両シートのシート部材としては、シートクッション、シートバック、アームレスト、収納テーブル、把持部材等を適用することができる。
【００１７】
上記目的を達成するための請求項４に係る本発明の航空機シートのシート部材は、表面に糸目を有する糸目部が連続的に備えられることで縫い目部位が形成され、縫い目部位に対して基材部位が成形されることで、基材部位に縫い目部位が存在する成形品部材が形成されることを特徴とする。
【００１８】
請求項４に係る本発明では、縫い目部位に対して基材部位が成形されることで、縫い目部位と基材部位を独立した樹脂で成形することができ、縫い目を有する革を模擬した状態の航空機シートのシート部材とすることができる。
【００１９】
そして、縫い目部位と基材部位を異なる樹脂（材質や色等）で成形することができ、異色の糸目を備えたり、異色で風合いの異なる糸目を備えたり等の樹脂成形品を得ることができる。
【００２０】
航空機シートのシート部材としては、シートクッション、シートバック、テーブルを兼用したアームレスト、収納テーブル、ヘッドレスト、フットレスト、シートバックの裏面の収納ポケットやモニタ枠材等を適用することができる。
【発明の効果】
【００２１】
本発明の鉄道車両シートのシート部材は、樹脂基材と縫い目部位が独立して形成された樹脂部品を二色成形により成形し、縫い目を有する革を模擬した状態にすることが可能になる。
【００２２】
本発明の航空機シートのシート部材は、樹脂基材と縫い目部位が独立して形成された樹脂部品を二色成形により成形し、縫い目を有する革を模擬した状態にすることが可能になる。
【図面の簡単な説明】
【００２３】
【図１】本発明の一実施例に係る鉄道車両シートのシート部材を構成する樹脂成形品の外観図である。
【図２】本発明の他の実施例に係る鉄道車両シートのシート部材を構成する樹脂成形品の外観図である。
【図３】鉄道車両シートの外観図である。
【図４】鉄道車両シートの外観図である。
【図５】航空機シートの外観図である。
【図６】航空機シートの外観図である。
【発明を実施するための形態】
【００２４】
図１、図２に基づいて樹脂成形品の一例を説明する。
【００２５】
図１（ａ）、図２（ａ）には鉄道車両シートのシート部材に適用される樹脂成形品の外観状況、図１（ｂ）、図２（ｂ）には鉄道車両シートのシート部材に適用される樹脂成形品の分解斜視状況を示してあり、図１は表面に糸目が配された樹脂成形品、図２は表面に糸目が配されると共にインステッチ（縫製糸）が形成された樹脂成形品である。
【００２６】
図１、図２に示すように、樹脂部品１は革を模擬した状態の樹脂成形品で、樹脂部品１は、基になる基材部位２に対し異なる色の縫い目部位３が存在する樹脂成形品である。そして、縫い目部位３には、糸目部４が連続して多数形成され、糸目部４の表面には糸目５が形成されている。
【００２７】
糸目部４に接触する部位の基材部位２には沈み面８が設けられている。即ち、糸目部４の周囲の基材部位２の表面は、沈み面８により他の部位に比べて凹んだ状態にされ、革製のシートが縫い合わされ、縫い目の部位が糸により沈み込んだ状態になっている。
【００２８】
このため、表面に糸目５が形成された縫い目部位３（糸目部４）を有する樹脂部品を二色成形により成形することができる。従って、基材部位２の部分の色合いと縫い目の糸目部４の色合いを変えた状態で、革を模擬した樹脂部品１を得ることができる。
【００２９】
図２に示すように、縫い目部位３にインステッチ６を形成することも可能である。インステッチ６を形成することにより、立体形状の革を模擬した樹脂部品１を得ることができる。
【００３０】
樹脂部品１を成形する場合、縫い目部位３の成形（一次成形）と縫い目部位３が金型面とされた状態での基材部位２の成形（二次成形）とを行う。つまり、第１樹脂により縫い目部位３が成形され、その後、縫い目部位３を金型面の一部として第２樹脂により基材部位２が成形される（二色成形）。
【００３１】
第１樹脂と第２樹脂を用いて二色成形を実施することで、基材部位２の部分の色合いと糸目部４の色合いを変えた状態で、縫い目を有する革を模擬した樹脂部品１を得ることができる。
【００３２】
図３、図４に基づいて樹脂部品１（図１、図２の何れか、もしくは、部位によって併用）が用いられる鉄道車両シートのシート部材の例を説明する。
【００３３】
図３には鉄道車両シートのヘッドレストカバー及びアームレストに適用した例を示してある。
【００３４】
図３に示すように、鉄道車両シート１１のシートバック１２の上部にはヘッドレスト１３が形成され、ヘッドレスト１３にはヘッドレストカバー１４が取り付けられている。鉄道車両シート１１には不特定多数の乗客が着座し、ヘッドレスト１３には、乗客の頭部（後頭部）が保持される。このため、例えば、終着駅で使用後のヘッドレストカバー１４が取り外され、始発駅で使用前のヘッドレストカバー１４が装着される。
【００３５】
鉄道車両シート１１のヘッドレストカバー１４（シート材）として、図１もしくは図２に示した樹脂部品１が適用される。例えば、乗客の頭部が保持される面１５の周囲、シートバック１２の上面に対応する面１５の周囲に糸目５が連続して配されている。また、乗客の頭部が保持される面１５の中央部に左右方向に延びる糸目５が配されている。車室の内装等に応じて、樹脂の種類、色を選択することで、縫い目を有する革製の外観と風合いが再現されたヘッドレストカバー１４とすることができる。
【００３６】
また、図３に示すように、鉄道車両シート１１にはアームレスト１６が設けられ、アームレスト１６の表皮材（シート材）として、図１もしくは図２に示した樹脂部品１が適用される。アームレスト１６の上面の表皮材、側面の表皮材の周囲に糸目５が連続して配されている。シートクッションやシートバック１２の色や、車室の内装等に応じて、樹脂の種類、色を選択することで、縫い目を有する革製の外観と風合いが再現されたアームレスト１６とすることができる。
【００３７】
ヘッドレストカバー１４、及び、アームレスト１６は革製の外観と風合いが再現されているため、鉄道車両シート１１の見栄えが向上し、感触、質感等の向上を図ることができ、機能以外で付加価値を高めることが可能である。そして、樹脂製であるため、汚れ等が付いても簡単に払拭することができ、扱いが容易になる。特に、ヘッドレストカバー１４は取り外しが可能であるため、洗浄などの制約が少なく、扱いが極めて容易となる。この結果、見栄えと実用性を両立したヘッドレストカバー１４、及び、アームレスト１６を得ることができる。
【００３８】
図４には鉄道車両シートの収納テーブルに適用した例を示してある。
【００３９】
図４に示すように、鉄道車両シート１１のシートバック１２の背面には、幅方向に延びる軸回りで回動するテーブル１７が設けられている。テーブル１７を回動させて収容することで、シートバック１２の背面とテーブル１７の下面１８とが面一状態に維持される。テーブル１７の下面１８には、後列に着座している乗客の確認用として、車両の案内図１９が描かれている。
【００４０】
鉄道車両シート１１のテーブル１７の下面１８の部材（シート材）として、図１もしくは図２に示した樹脂部品１が適用される。例えば、下面１８の周囲に糸目５が連続して配されている。また、例えば、鉄道会社のシンボルマーク２０が糸目５により描かれている。シートバック１２の色や、車室の内装等に応じて、樹脂の種類、色を選択することで、縫い目を有する革製の外観と風合いが再現されたテーブル１７とすることができる。
【００４１】
テーブル１７はシートバック１２に収容された際に、革製の外観と風合いが再現されているため、鉄道車両シート１１の見栄えが向上し、機能以外で付加価値を高めることが可能である。そして、樹脂製であるため、汚れ等が付いても簡単に払拭することができ、扱いが容易になる。この結果、見栄えと実用性を両立したテーブル１７を得ることができる。
【００４２】
尚、鉄道車両シート１１のシート部材としては、シートクッション、シートバック、把持部材等その他の構成部材を適用することができる。また、糸目５を設ける部位や糸目５の配置形状は任意に設定することができる。例えば、シートバック１２の縁部に糸目５を連続して設けること等が可能である。
【００４３】
図５、図６に基づいて樹脂部品１（図１、図２の何れか、もしくは、部位によって併用）が用いられる航空機シートのシート材の例を説明する。
【００４４】
図５には航空機シートのアームレスト、及び、フットレストに適用した例を示してある。
【００４５】
図５に示すように、航空機シート２１には、例えば、大型のアームレスト部材２２（シート材）が配され、アームレスト部材２２には簡易テーブル面２３、及び、飲料カップ置き２４等が備えられている。アームレスト部材２２の上面の部位（シート材）として、図１もしくは図２に示した樹脂部品１が適用される。
【００４６】
例えば、簡易テーブル面２３の周囲に糸目５が連続して配されている。飲料カップ置き２４の周囲部に糸目５が連続して配されている。機内の内装等に応じて、樹脂の種類、色を選択することで、縫い目を有する革製の外観と風合いが再現されたアームレスト部材２２とすることができる。
【００４７】
また、航空機シート２１には、フットレスト２５が上方に回動自在に備えられ、フットレスト２５には足置き２６が設けられている。フットレスト２５の面及び足置き２６の上面の周囲に糸目５が連続して配されている。また、フットレスト２５の面には周囲の対角に延びる糸目５が連続して配されている。シートクッションの色、機内の内装等に応じて、樹脂の種類、色を選択することで、縫い目を有する革製の外観と風合いが再現されたフットレスト２５（足置き２６）とすることができる。
【００４８】
アームレスト部材２２、フットレスト２５（足置き２６）は革製の外観と風合いが再現されているため、航空機シート２１の見栄えが向上し、感触、質感等の向上を図ることができ、機能以外で付加価値を高めることが可能である。そして、樹脂製であるため、汚れ等が付いても簡単に払拭することができ、扱いが容易になる。この結果、見栄えと実用性を両立したアームレスト部材２２、フットレスト２５（足置き２６）を得ることができる。
【００４９】
図６には航空機シートのシートバックの背面に適用した例を示してある。
【００５０】
図６に示すように、航空機シート２１のシートバック２８の背面には、機内設備や航行状況の案内の映像、到着地の観光案内の映像、ニュース映像や娯楽番組の映像等が映し出されるモニタ２９が備えられている。モニタ２９の周囲の部材（シート材）として、図１もしくは図２に示した樹脂部品１が適用される。例えば、モニタ２９の周囲に糸目５が連続して二重に配されている。
【００５１】
また、航空機シート２１のシートバック２８の背面には、機内誌やしおり等が収容される収容ポケット３０が設けられ、収容ポケット３０の部材（シート材）として、図１もしくは図２に示した樹脂部品１が適用される。例えば、収容ポケット３０の周囲に糸目５が連続して配されている。シートクッションの色、機内の内装等に応じて、樹脂の種類、色を選択することで、縫い目を有する革製の外観と風合いが再現されたシートバック２８の背面とすることができる。
【００５２】
シートバック２８の背面のモニタ２９の周囲、収容ポケット３０は革製の外観と風合いが再現されているため、航空機シート２１の見栄えが向上し、感触、質感等の向上を図ることができ、機能以外で付加価値を高めることが可能である。そして、樹脂製であるため、汚れ等が付いても簡単に払拭することができ、扱いが容易になる。この結果、見栄えと実用性を両立したシートバック２８の背面のモニタ２９の周囲、収容ポケット３０を得ることができる。
【００５３】
尚、航空機シート２１のシート部材としては、シートクッション、シートバック、ヘッドレスト、ヘッドレストカバー、スイッチ類の操作盤等、その他の構成部材を適用することができる。また、糸目５を設ける部位や糸目５の配置形状は任意に設定することができる。
【産業上の利用可能性】
【００５４】
本発明は、樹脂基材に対し異なる樹脂により縫い目の部位が形成された樹脂製品からなる鉄道車両シートのシート部材の産業分野で利用することができる。
【００５５】
本発明は、樹脂基材に対し異なる樹脂により縫い目の部位が形成された樹脂製品からなる航空機シートのシート部材の産業分野で利用することができる。
【符号の説明】
【００５６】
１  樹脂部品
２  基材部位
３  縫い目部位
４  糸目部
５  糸目
６  インステッチ
８  沈み面
１１  鉄道車両シート
１２、２８  シートバック
１３  ヘッドレスト
１４  ヘッドレストカバー
１６  アームレスト
１７  テーブル
１８  下面
１９  案内図
２０  シンボルマーク
２１  航空機シート
２２  アームレスト部材
２３  簡易テーブル面
２４  飲料カップ置き
２５  フットレスト
２６  足置き
２９  モニタ
３０  収容ポケット
【図１】
2014139062.tif 000003
【図２】
2014139062.tif 000004
【図３】
2014139062.tif 000005
【図４】
2014139062.tif 000006
【図５】
2014139062.tif 000007
【図６】
2014139062.tif 000008